(57)【要約】      （修正有）【課題】ＣＦｅｘｐｒｅｓｓカードの構造を提供する。【解決手段】上ケース本体１、下枠本体２、下蓋本体３及び上ケース本体と下枠本体の間に収納する回路基板４を含む。その中、該上ケース本体の絶縁材質を具有する上枠本体１１の底面に複数の凸柱１１１を設け、更に上枠本体の上方に金属材質の上蓋本体１２を結合する。且つ上蓋本体の片側に係合部１２１を設け、更に上枠本体の下方に絶縁材質の下枠本体を結合する。該下枠本体の頂面には、複数の凸柱が嵌合できる複数の定位槽２１を設ける。該下蓋本体は金属材質で作られ、且つ上ケース本体に設置する。また、片側に係合部と係着する係着部３１を設ける。複数の凸柱は複数の定位槽の中に挿入するため、全体の抗せん断力の強度が上がる。それにより上ケース本体と下枠本体が転位するために引き起こす損壊状況を少なくし、全体の使用寿命を延ばす。また、上ケース本体と下蓋本体は係着の方法で組立てることを介し、組み立て設備コストを減らす効果に達する。【選択図】図２
0003212373.tif 000002
【実用新案登録請求の範囲】
【請求項１】
上ケース本体、下枠本体、下蓋本体及び回路基板を含み、
該上ケース本体は絶縁材質で作られた上枠本体を具有し、且つ上枠本体の底面に複数の凸柱を設け、更に上枠本体の上方に金属材質で作られる上蓋本体を結合し、上蓋本体の片側に係合部を設け、
該下枠本体は絶縁材質で作られ、且つ上枠本体と一体に組立て、下枠本体の頂面部分に複数の凸柱を挿入するための複数の定位槽を設け、該下蓋本体は金属材質で作られ、且つ上ケース本体に組み立て、且つ下蓋本体の片側に係合部と互いに係着するための係着部を形成し、及び
該回路基板は上ケース本体と下枠本体の間に設置することを特徴とするＣＦｅｘｐｒｅｓｓカードの構造。
【請求項２】
前記該上ケース本体の上枠本体の内部の片側壁面に上凹槽を設け、且つ上枠本体の内部の片側壁面に上凹槽を設け、且つ上枠本体の別側に下向けに間隔を開けて複数のフックを配列し、更に上枠本体の別途相対する両サイドの壁面から外向けに少なくとも一つの係合ブロックを凸設し、且つ上枠本体の内部に少なくとも二つの隅に積載台を設け、
該上蓋本体の係合部は下向きに上凹槽内に進入する第一プレートを延伸し、且つ該第一プレートには係合穴を設け、更に上蓋本体の周りに複数の穴を設け、該下枠本体の別側壁面に間隔を開けて配列し、且つ複数のフックとラッチングするための複数の係合槽を凹設し、且つ下枠本体の内部の片側壁面に下凹槽を設け、更に下枠本体の内部に少なくとも二つの隅に定位凸ブロックを設け、また、下蓋本体の別途相対する両サイドの壁面にそれぞれ少なくとも一つの内側に彎曲し、且つ少なくとも一つの係合ブロックとラッチングする係合シートを設け、且つ下蓋本体の係着部は上向きに下凹槽内に進入するための第二プレートを延伸し、更に第二プレートに係合穴の中にラッチングする凸フックを設け、該下蓋本体の係着部両サイドの部分よりそれぞれ上向きに第一プレート内側と接触するための接地弾力アームを延伸し、該回路基板は複数の積載台及び複数の定位凸ブロックの間に定位し、且つ片側に複数の金属接点を具有する嵌合部を設け、且つ嵌合部の外側壁面には、内側に向けて間隔を開けて複数のフックを通すための複数のカット溝を設けることを特徴とする請求項１に記載するＣＦｅｘｐｒｅｓｓカードの構造。
【請求項３】
前記該下枠本体は別途相対する両サイドの壁面に、内側に向けて傾斜する傾斜面を設けることを特徴とする請求1に記載するＣＦｅｘｐｒｅｓｓカードの構造。
【考案の詳細な説明】
【技術分野】
【０００１】
本考案はＣＦｅｘｐｒｅｓｓカードの構造に関し、特に上ケース本体、下枠本体と下蓋本体の構造を使って係着する方法で組み合わせることで設備コストを減らし、及び極簡単な組立方法を用いる。また、組立てた後、上枠本体にある複数の凸柱及び下枠本体に挿入する複数の定位槽を介し、全体の抗せん断力に対抗する強さ及び結合の強さをアップすることで、使用寿命を延ばすＣＦｅｘｐｒｅｓｓカードの構造に関する。
【背景技術】
【０００２】
電子、マスメディア技術の素早い発展により、デジタルカメラ、携帯電話或いはＭＰ３プレイヤーなどの電子製品も年を追うごとに急激に成長し、新世代の風潮の中でも欠かすことのできない製品となった。また電子製品の使用率が高く、相対的に音楽、カメラ、メールの受信送信など、多機能インターフェースの統合、より多くのサービスを要求し、一台に多機能を搭載するものをユーザーに提供する。
【０００３】
更に電子製品はデータの保存とファイル管理は、通常はメモリーカードを使用して単一、独立或いは一時的なデータ保存を行う。メモリーカードをカードリーダー内部に差し込むことで、電子製品同士のやり取り或いは処理を行う。またメモリーカードは発売以来、広く消費者に愛され、欠かすことのできないツールの一つとなり、メモリーカードのニーズも大幅に増えた。
【０００４】
しかし、従来のメモリーカードの多くは、上下ケース本体及び上下ケース本体の間にある回路基板で構成する。メモリーカードを組立てる際、多くは接着剤或いは超音波溶接などの方法で上下ケース本体の周囲を一体に粘着することで、回路基板が上下ケース本体の内部にしっかり収納される。しかし、粘着或いは超音波溶接などの粘着方法では、別途組立設備を購入する必要がある(例えば：粘着機械或いは超音波機械)、業者には高額な設備コストになること間違いなしであり、及び設備を組立てた後に置く土地のコストも必要である。
【０００５】
更に従来のメモリーカードの上下ケース本体の多くは粘着或いは超音波溶接などの接着方法で一体にくっつけるため、メモリーカードを取る、或いは外部電子装置のカードスロットに電気接続を行うなどの使用過程において、該上下ケース本体は反対方向の力を受けて推移しやすい。仮に推移した力が大きすぎる、或いは長時間の推移により、該上下ケース本体の周囲粘着部分が分離しやすい状況が起き、それにより上下ケース本体が転位して離れる状況が生じるため、メモリーカードの損壊、使用不能など、使用する上で不便な部分があることを鑑みて、更なる改善が必要であった。
【先行技術文献】
【特許文献】
【０００６】
【特許文献１】特開2008-171377号公報
【考案の概要】
【考案が解決しようとする課題】
【０００７】
本考案の第１の目的は、組み立て設備に関連するコストを下げる目的に達するＣＦｅｘｐｒｅｓｓカードの構造を提供することにある。
本考案の第２の目的は、全体の信号伝送の品質をより安定且つ信頼できる目的に達するＣＦｅｘｐｒｅｓｓカードの構造を提供することにある。
本考案の第３の目的は、回路基板が揺れる状況を少なくし、ぶつかるために損壊する状況を少なくする目的に達するＣＦｅｘｐｒｅｓｓカードの構造を提供することにある。  本考案の第４の目的は、上ケース本体の使用寿命を延長する目的に達するＣＦｅｘｐｒｅｓｓカードの構造を提供することにある。
【課題を解決するための手段】
【０００８】
上述の目的を解決するために、本考案はＣＦｅｘｐｒｅｓｓカードの構造を提供するものである。本考案の第１の目的は、該上ケース本体は絶縁材質で作られた上枠本体を具有し、且つ上枠本体の底面に複数の凸柱を設け、更に上枠本体の上方に金属材質で作られる上蓋本体を結合し、上蓋本体の片側に係合部を設け、且つ該上ケース本体の下方に絶縁材質で作られる下枠本体を組み立て、且つ下枠本体の頂面に、複数の凸柱を挿入する複数の定位槽を設ける。更に下枠本体の下方に金属材質で作られる下蓋本体を結合し、下蓋本体の片側に係合部と互いに係着する係着部を設ける。また、上ケース本体と下枠本体との間に回路基板を収納定位する。上枠本体の複数の凸柱により位置を合わせて下枠本体の複数の定位槽の中に挿入すると、全体の抗せん断力の強度を上げることができる。それにより上ケース本体と下枠本体が転位により引き起こす損壊の状況を少なくし、上ケース本体と下枠本体同士の結合強度を増し、及び使用寿命を延長する。また、該上ケース本体と下蓋本体はそれぞれ上蓋本体の係合部及び下蓋本体の係着部を通じて、互いにラッチングの方法で一体に組立てるため、組み立て設備に関連するコストを下げる目的に達する。
【０００９】
本考案の第２の目的は、該上ケース本体と下蓋本体を一体に組立てる際、該下蓋本体にある複数の接地弾力アームは上蓋本体の内部に接触するため、上蓋本体と下蓋本体は一つの共同接地回路を形成する。よって上蓋本体と下蓋本体が形成する共同接地回路を介して接地放電することができ、有効的に電磁波及びクロストーク妨害などを抑制し、更に全体の信号伝送の品質をより安定且つ信頼できる目的に達する。
【００１０】
本考案の第３の目的は、該上枠本体にある複数のフックは下枠本体の複数の係合槽の中にラッチングし、複数のフックと複数の係合槽が互いにラッチングする状態を通じて、上ケース本体と下枠本体との間の垂直方向の結合強度及び抗せん断力の強さを上げ、それによる上ケース本体と下枠本体の間は外向けに離れにくくなり、全体の構造強度が増し及び使用寿命を延長する。また、該上枠本体の複数のフックはまた、回路基板の片側にある複数のカット溝を通し、回路基板を限位する効果を持ち、回路基板が揺れる状況を少なくし、ぶつかるために損壊する状況を少なくする目的に達する。
【００１１】
本考案の第４の目的は、該上ケース本体の上蓋本体はインサートモルディング成型方法を利用して上枠本体を成型する際、該上蓋本体の周りにある複数の穴内部はそれにより充填し、複数の穴を介して上枠本体と上蓋本体との間の結合強度を上げることができ、よって上ケース本体の使用寿命を延長する目的に達する。
【考案の効果】
【００１２】
本考案の構造により、全体の抗せん断力の強度が上がり、それにより上ケース本体と下枠本体が転位するために引き起こす損壊状況を少なくし、全体の使用寿命を延ばす。また、上ケース本体と下蓋本体は係着の方法で組立てることを介し、組み立て設備コストを減らす効果に達する。
【図面の簡単な説明】
【００１３】
【図１】本考案の立体外観図である。
【図２】本考案の立体分解図である。
【図３】本考案の別の角度から見た立体分解図である。
【図４】本考案の上ケース本体と下枠本体を組み合わせた後の立体外観図である。
【図５】本考案の上ケース本体と下枠本体を組み合わせた後、別の角度から見た立体外観図である。
【図６】本考案の図１A線の横から見た断面図である。
【考案を実施するための形態】
【００１４】
以下、本考案の構造と特徴および効果を、最良実施例と図面を参照しながら詳細に説明する。
【実施例】
【００１５】
図１、図２、図３、図４、図５及び図６に示すのは、本考案の立体外観図、立体分解図、別の角度から見た立体分解図、上ケース本体と下枠本体を組み合わせた後の立体外観図、上ケース本体と下枠本体を組み合わせた後、別の角度から見た立体外観図及び図１A線の横から見た断面図である。図で分かるように、それに含まれるのは上ケース本体１、下枠本体２、下蓋本体３及び回路基板４である。
【００１６】
該上ケース本体１は絶縁材質で作られた上枠本体１１を具有し、且つ上枠本体１１の底面に複数の凸柱１１１を設ける。また上枠本体１１の内部の片側壁面に上凹槽１１２を設け、上枠本体１１の別側に下向けに間隔を開けて複数のフック１１３を配列し、更に上枠本体１１の別途相対する両サイドの壁面から外向けに少なくとも一つの係合ブロック１１４を凸設し、更に上枠本体１１の内部に少なくとも二つの隅に積載台１１５を設ける。上枠本体１１の上側はインサートモルディング（Ｉｎｓｅｒｔ  Ｍｏｌｄｉｎｇ）の成型方法を利用して、金属材質で作られる上蓋本体１２を結合することができる。該上蓋本体１２の片側に係合部１２１を設け、且つ係合部１２１は下向きに上凹槽１１２内に進入する第一プレート１２１１を延伸し、該第一プレート１２１１には係合穴１２１２を設け、更に上蓋本体１２の周りに複数の穴１２２を設ける。
【００１７】
該下枠本体２は絶縁材質で作られ、且つ下枠本体２の頂面部分に複数の定位槽２１を設ける。また下枠本体２の内部の片側壁面に下凹槽２２を設け、下枠本体２の別側壁面に間隔を開けて配列する複数の係合槽２３を凹設し、更に下枠本体２の別途相対する両サイドの壁面に、内側に傾斜する傾斜面２４を設け、また、下枠本体２の内部に少なくとも二つの隅に定位凸ブロック２５を設ける。
【００１８】
該下蓋本体３は金属材質で作られ、且つ下蓋本体３の片側に係着部３１を設ける。また係着部３１は上向きに第二プレート３１１を延伸し、第二プレート３１１に凸フック３１１１を設ける。更に係着部３１の両サイド部分にはそれぞれ上向きに接地弾力アーム３２を延伸し、また下蓋本体３の別途相対する両サイドの壁面にそれぞれ内側に彎曲する少なくとも一つの係合シート３３を設ける。
【００１９】
該回路基板４の片側に複数の金属接点４１１を具有する嵌合部４１を設ける。嵌合部４１の外側壁面には、内側に向けて間隔を開けて複数のカット溝４２を設ける。
【００２０】
前記上ケース本体１の上蓋本体１２の最良実施例は、プラスティック材料を使って、嵌合射出の方法を以って、射出成型した上枠本体１１を包む。しかし、実際応用する際、この方法に限られることはなく、実際のニーズ或いは構造のデザインの違いに基づき、嵌合射出一体成型、或いは組立てる方法を用いて、上枠本体１１と結合して定位することができる。
【００２１】
本考案を組立てる際、まず上ケース本体１と下枠本体２を一体に組立てることで、上枠本体１１の底面にある複数の凸柱１１を、下枠本体２の頂面にある複数の定位槽２１に合わせて中に嵌合する。更に上枠本体１１にある複数のフック１１３を下枠本体２にある複数の係合槽２３内と係合して定位させる。更に回路基板４を、上ケース本体１と下枠本体２の間を斜め方向に挿入して設置する方法で入れる。該回路基板４を斜め方向に挿入する過程において、回路基板４を上枠本体１１の隅のある複数の積載台１１４及び下枠本体２の隅にある複数の定位凸ブロック２５の間に押し入れることができ、位置を限位して固定する。同時に、該回路基板４の片側にある複数のカット溝４２を上枠本体１１にある複数のフック１１３に挿設して一つの限位を呈し、且つ回路基板４の定位が完成すれば、組立てを完成した上ケース本体１、下枠本体２及び回路基板４を下蓋本体３に設置し、プレス機械(図に未掲載)を介して下蓋本体３を組立てる。該下蓋本体３の相対する両サイドにある係合シート３３は下枠本体２の相対する両サイドにある傾斜面２４のリードに沿って、スムーズに下枠本体２の相対する両サイドの壁面を超え、上枠本体１１両サイドの係合ブロック１１４をラッチングして一つのブロックを呈して定位する。同時に該下蓋本体３の係着部３１の第二プレート３１１は下枠本体２の下凹槽２２内に進入し、第二プレート３１１にある凸フック３１１１を利用して上蓋本体１２の片側にある係合部１２１の係合穴をラッチングして定位することで、上ケース本体１、下枠本体２、下蓋本体３及び回路基板４をしっかりと一体に嵌合する。また、上蓋本体１２の係合部１２１を下蓋本体３の係着部３１に係着した後、下蓋本体３の複数の接地弾力アーム３２は上蓋本体１２の係合部１２１の第一プレート１２１１の内側壁面部分と接触し、それにより本考案の組立を完成する。
【００２２】
本考案は下記のメリットを具有する。
【００２３】
(一)該上ケース本体１と下枠本体２を互いに組立てる際、該上枠本体１１の複数の凸柱１１１は位置を合わせて下枠本体２の複数の定位槽２１の中に挿入することで、全体の抗せん断力の強さを高めるため、上ケース本体１と下枠本体２が転位するために起こる損壊する状況を少なくし、進んでは上ケース本体１と下枠本体２との間の結合強度を増し、及び本考案の使用寿命を延長する。また、上ケース本体１と下枠本体２を互いに組み合わせた後、該上ケース本体１と下蓋本体３はそれぞれ上蓋本体１２の係合部１２１及び下蓋本体３の係着部３１を通じて、互いにラッチングする方法で一体に組立てる。このような方法を通じると、組立設備を購入するコストや、組立設備を設置する土地コストを減少し、組立方法をシンプル化することができる。
【００２４】
(二)該上ケース本体１と下蓋本体３を一体に組立てる際、該下蓋本体３の複数の接地弾力アーム３２は上蓋本体１２の係合部１２１の第一プレート１２１１の内側壁面に接触することで、上蓋本体１２と下蓋本体３は一つの共同接地回路を形成する。回路基板４の嵌合部４１にある複数の金属接点４１１が高周波信号を伝送する際、該複数の金属接点４１１同士が形成する電磁波妨害(ＥＭＩ)及びクロストーク妨害は、上蓋本体１２と下蓋本体３が誘電吸収し、更に上蓋本体１２と下蓋本体３が形成する共同接地回路により接地放電を行う。よって有効的に高周波信号を伝送する際に生じる電磁波及びクロストーク妨害などを抑制することができ、それにより全体の信号伝送の品質をより安定且つ信頼できる効果に達することができる。
【００２５】
(三)該上ケース本体１と下枠本体２を一体に組立てる際、上枠本体１１にある複数のフック１１３を通じて下枠本体２にある複数の係合槽２３をラッチングすることができ、それにより上ケース本体１と下枠本体２との間の垂直方向の結合強度をアップすることができる。また、抗せん断力の強度を上げることで、それにより上ケース本体１と下枠本体２が相対的に外向けに離れにくくなり、よって全体の構造強度を上げ、及び使用寿命を延ばす。また、該上枠本体１１にある複数のフック１１３は回路基板４の片側にある複数のカット溝４２を通すと、回路基板４を限位する効果を具有し、回路基板４が揺れる状況を減らし、進んではぶつかることで損壊する状況を減らす。
【００２６】
(四)該上ケース本体１の上蓋本体１２の周りに複数の穴１２２を設ける。上蓋本体１２を利用してインサートモルディング成型方法を利用して上枠本体１１を形成するとき、該複数の穴１２２の内部はそれにより充填し、複数の穴１２２を介して上枠本体１１と上蓋本体１２との間の結合強度を高めることができ、それにより上ケース本体１の使用寿命を延ばす効果に達する。
【００２７】
以上の実施例による本考案の詳細な説明は本考案の範囲を制限するものではない。本技術に熟知する者が、本考案の範囲内にて変更や調整を行っても、本考案の重要な意義は失われず、本考案の範囲に含まれる。
【符号の説明】
【００２８】
１  上ケース本体
１１  上枠本体
１１１  凸柱
１１２  上凹槽
１１３  フック
１１４  係合ブロック
１１５  積載台
１２  上蓋本体
１２１  係合部
１２１１  第一プレート
１２１２  係合穴
１２２  穴
２  下框本体
２１  定位槽
２２  下凹槽
２３  係合槽
２４  傾斜面
２５  定位凸ブロック
３  下蓋本体
３１  係着部
３１１  第二プレート
３１１１  凸フック
３２  接地弾力アーム
３３  係合シート
４  回路基板
４１  嵌合部
４１１  金属接点
４２  カット溝
【図１】
0003212373.tif 000003
【図２】
0003212373.tif 000004
【図３】
0003212373.tif 000005
【図４】
0003212373.tif 000006
【図５】
0003212373.tif 000007
【図６】
0003212373.tif 000008